(57)【要約】【課題】簡易に組み立てることができる、簡易組立式家屋等に用いられる屋根の骨組み構造を提供する。【解決手段】軒棟方向横架材４が中央の棟側材９と左右の軒側材８，８とに分割され、左右の軒側材８，８の基端側が家屋の左右の軒側に固定されると共に、中央の棟側材８の両端部が左右の軒側材８，８の先端部にジョイントされ、前記棟線方向横架材５が軒棟方向横架材４に串刺し状態にされることで軒棟方向横架材４に保持されている。【選択図】      図１
2005009261.tif 000002
【特許請求の範囲】
【請求項１】
軒棟軒と延びる複数本の軒棟方向横架材が棟線方向に間隔をおくようにして備えられると共に、棟線方向に延びる複数本の棟線方向横架材が軒棟方向横架材の長さ方向に沿って間隔をおいて備えられ、
前記軒棟方向横架材が中央の棟側材と左右の軒側材とに分割され、左右の軒側材の基端側が家屋の左右の軒側に固定されると共に、中央の棟側材の両端部が左右の軒側材の先端部にジョイントされ、前記棟線方向横架材が軒棟方向横架材に串刺し状態にされることで軒棟方向横架材に保持されていることを特徴とする屋根の骨組み構造。
【請求項２】
前記軒棟方向横架材の棟側材部分に串刺し状態に保持させる棟線方向横架材が備えられ、該棟線方向横架材は、軒側材に串刺し状態にすることが可能で、かつ、串刺し状態のまま軒側材からジョイント部を介して棟側材に位置変更可能である請求項１に記載の屋根の骨組み構造。
【発明の詳細な説明】
【０００１】
【発明の属する技術分野】
本発明は、簡易組立式家屋等に用いられる屋根の骨組み構造に関する。
【０００２】
【従来の技術及び課題】
例えば、一般ユーザーであっても簡易に組み立てることができるような簡易組立式家屋では、屋根の骨組み構造部分についても、簡易に組み立てることができるような構造になっていることが必要である。本発明は、そのような必要性に鑑みてなされたものであって、簡易に組み立てることができる屋根の骨組み構造を提供することを課題とする。
【０００３】
【課題を解決するための手段】
上記の課題は、軒棟軒と延びる複数本の軒棟方向横架材が棟線方向に間隔をおくようにして備えられると共に、棟線方向に延びる複数本の棟線方向横架材が軒棟方向横架材の長さ方向に沿って間隔をおいて備えられ、
前記軒棟方向横架材が中央の棟側材と左右の軒側材とに分割され、左右の軒側材の基端側が家屋の左右の軒側に固定されると共に、中央の棟側材の両端部が左右の軒側材の先端部にジョイントされ、前記棟線方向横架材が軒棟方向横架材に串刺し状態にされることで軒棟方向横架材に保持されていることを特徴とする屋根の骨組み構造によって解決される。
【０００４】
この構造では、軒棟方向横架材において、中央の棟側材を左右の軒側材にジョイントすることなく左右の軒側材の基端側を家屋の左右の軒側に固定した後、棟線方向横架材を軒側材に串刺し状態にしていき、しかる後、中央の棟側材を左右の軒側材にジョイントするという手順で、屋根の骨組み構造を形成していくことができ、複数本の軒棟方向横架材と複数本の棟線方向横架材とで構成される屋根の骨組み構造部分を簡易に組み立てることができる。
【０００５】
即ち、軒側材は、その基端側が家屋の軒側に固定で取り付けられるので、中央の棟側材をジョイントする前は、基端固定、先端フリーの片持ち状態となっており、棟線方向横架材を軒側材に串刺し状態にしていく作業を容易に行っていくことができる。
【０００６】
また、左右の軒側材の基端側を家屋の左右の軒側に固定し、棟側材を軒側材にジョイントしていない状態では、左右の軒側材間に、棟線方向横架材を軒側材に串刺し状態にする作業を行うための空間スペースが存在し、その空間スペースを利用して、棟線方向横架材を左右の軒側材に容易に串刺し状態にしていくことができる。
【０００７】
上記の構造において、軒棟方向横架材の棟側材部分に串刺し状態に保持させる棟線方向横架材が備えられ、該棟線方向横架材は、軒側材に串刺し状態にすることが可能で、かつ、串刺し状態のまま軒側材からジョイント部を介して棟側材に位置変更可能であるとよい。この場合は、棟線方向横架材を軒棟方向横架材の左右の軒側材に串刺し状態にした後、中央の棟側材を左右の軒側材にジョイントし、そして、棟線方向横架材を軒側材部分から棟側材部分へと位置を変更することで、棟線方向横架材は中央の棟側材部分に串刺し保持状態となり、棟線方向横架材を軒棟方向横架材の棟側材部分に施工容易に串刺し保持状態にすることができる。
【０００８】
【発明の実施の形態】
次に、本発明の実施形態を図面に基づいて説明する。
【０００９】
図１乃至図３に示す実施形態において、１は基礎部、２は外壁部、３は屋根の骨組み構造部分であり、屋根の骨組み構造部分３において、４…は軒棟方向横架材、５…は棟線方向横架材である。
【００１０】
軒棟方向横架材４は、例えば金属パイプ材などの棒状材からなっており、複数本備えられ、各軒棟方向横架材４は、その両端部に金物６，６が溶接などによって一体的に備えられており、これらの金物６，６を家屋の左右の軒桁７，７に取り付けることにより、棟部で上に凸となるよう軒棟軒と湾曲して延ばされ、これらの軒棟方向横架材４…が棟線方向に間隔をおくようにして備えられている。なお、各軒棟方向横架材４は、予め湾曲形状に曲がり成形されたものであってもよいし、真直材を屋根骨組み構造の組立において弾性的に湾曲させて上に凸の湾曲形状にしたものであってもよい。
【００１１】
各軒棟方向横架材４は、図２（ロ）に示すように、中央の棟側材９と左右の軒側材８，８とに分割され、左右の軒側材８，８の基端側に上記の金物６，６が備えられ、この金物６，６を家屋の左右の軒桁７，７に固定することにより、基端部固定で先端部フリーの片持ち状態となることができるようになされており、中央の棟側材９の両端部を、継ぎ手部材１０，１０によって左右の軒側材８，８の先端部にジョイントすることで、軒棟軒へと連続した軒棟方向横架材４が形成されるようになされている。
【００１２】
一方、棟線方向横架材５も複数本備えられ、棟線方向に向けられ、軒棟方向横架材４の長さ方向に沿って間隔をおいて備えられ、各棟線方向横架材５は、軒棟方向横架材４で周壁部分を串刺し状態に貫くことができる構造のものからなっている。
【００１３】
本実施形態では、棟線方向横架材５として、図３に示すように、間隔をおいて同心一列状態に並べられた多数のループ部分５ａ…に複数本の軸方向線材部分５ｂ…が周方向に間隔をおいて沿わされ、ループ部分５ａ…と軸方向線材部分５ｂ…とがそれらの交絡部で結合一体化された構造形態のプラスチック製筒形材が用いられ、図３（ロ）にハッチング部で示すように、隣り合うループ部分５ａ，５ａと隣り合う軸方向線材部分５ｂ，５ｂとで囲まれた開口部１１を通じて軒棟方向横架材４を貫通させることで、棟線方向横架材５を串刺し状態にすることができるようになされている。
【００１４】
また、本実施形態では、軒棟方向横架材４の棟側材９部分に串刺し状態に保持させる棟線方向横架材５が備えられており、該棟線方向横架材５は、軒棟方向横架材４の軒側材８に串刺し状態にすることが可能で、かつ、串刺し状態のまま軒側材８からジョイント部１０を介して棟側材９に位置変更することができるようになされている。
【００１５】
屋根骨組み構造部分３の組立は、例えば次のようにして行うことができる。即ち、図４（イ）（ロ）に示すように、各軒棟方向横架材の左右の軒側材８，８を、その基端部を左右の軒桁７，７に金物６，６で固定して先端フリーの片持ち状態にし、図４（ハ）に示すように、左右の軒側材８，８間の先端部間の空間スペースを利用して、左右の軒側材８，８にその先端部より棟線方向横架材５…を串刺し状態にしていく。本実施形態では、軒棟方向横架材４の中央の棟側材９にも串刺し状態に保持させる棟線方向横架材５が備えられているが、その棟線方向横架材５は左右の軒側材８，８のいずれか一方に串刺し状態にしておくようにする。そして、図５（ニ）に示すように、中央の棟側材９の両端部をそれぞれ継ぎ手部材１０，１０で左右の軒側材８，８の先端部にジョイントする。しかる後、棟線方向横架材５の一つを軒側材８の側から中央の棟側材９の側に移動させて棟側材９に棟線方向横架材５を串刺し状態に保持させ、併せて、各棟線方向横架材５…が均等な分散配置状態となるように位置の調節を行う。こうして屋根の骨組み構造が完成され、本実施形態では、その上に屋根シートを張ることによって屋根が形成される。
【００１６】
このように、上記の屋根骨組み構造では、軒棟方向横架材４が中央の棟側材９と左右の軒側材８，８とに分割されているので、左右の軒側材８，８を中央の棟側材９に先行して取り付けるようにすることができ、それによって、棟線方向横架材５…を軒棟方向横架材４に容易に串刺し保持状態にすることができ、複数本の軒棟方向横架材４…と複数本の棟線方向横架材５…からなる屋根骨組み構造部分を簡易に組み立てていくことができる。
【００１７】
以上に、本発明の実施形態を示したが、本発明はこれに限られるものではなく、発明思想を逸脱しない範囲で各種の変更が可能である。例えば、上記の実施形態では、棟線方向横架材を軒棟方向横架材に串刺し状態に保持させるため、棟線方向横架材として、ループ部分５ａ…と軸方向線材部分５ｂ…とを備えた特定構造の筒形材５を用いた場合を示しているが、これに限らず、棟線方向横架材は、軒棟方向横架材４が周壁部分を串刺し状態に貫くことのできる構造をしているものであればよく、形態や材質に特段の制限はない。軒棟方向横架材についても形態や材質に特段の制限はない。また、上記の実施形態では、軒棟方向横架材４が左右の軒側材８，８と中央の棟側材９とに三分割されている場合を示しているが、軒棟方向横架材４のスパンが大きいような場合などにおいては、軒側材８，８や棟側材９を更に分割し、全体として４つ以上に分割されているものであってもよい。また、上記の実施形態では、軒棟方向横架材４が、棟部で上に凸となるように軒棟軒と湾曲して延びるものからなっているが、軒棟軒と延びるものであれば、棟部で上に凸であるがへの字状に屈曲して延びるものであってもよいし、真っ直ぐ水平に延びるものであってもよいし、棟部で下に凸となるように湾曲してあるいは屈曲して延びるものであってもよい。
【００１８】
【発明の効果】
本発明の簡易組立式家屋等に用いられる屋根の骨組み構造は、以上のとおりのものであるから、簡易に組み立てることができる。
【図面の簡単な説明】
【図１】実施形態の屋根骨組み構造を示す斜視図である。
【図２】図（イ）は同正面図、図（ロ）は軒棟方向横架材の分解正面図である。
【図３】図（イ）は軒棟方向横架材の断面正面図、図（ロ）は同斜視図、図（ハ）は軒棟方向横架材に棟線方向横架材を串刺し状態にした断面正面図である。
【図４】図（イ）乃至図（ハ）は、図５（ニ）（ホ）と共に、屋根骨組み構造部分の組立方法を順次に示す正面図である。
【図５】図（ニ）（ホ）は、図４（イ）乃至図（ハ）と共に、屋根骨組み構造部分の組立方法を順次に示す正面図である。
【符号の説明】
３…屋根骨組み構造部分
４…軒棟方向横架材
５…棟線方向横架材
８…軒側材
９…棟側材
１０…継ぎ手部材
【図１】
2005009261.tif 000003
【図２】
2005009261.tif 000004
【図３】
2005009261.tif 000005
【図４】
2005009261.tif 000006
【図５】
2005009261.tif 000007